(57)【特許請求の範囲】
【請求項１】
ルータとフェムトセル基地局とを備えるシステムであって、
前記ルータは、
前記フェムトセル基地局と通信接続するフェムト接続部
を有し、
前記フェムトセル基地局は、
前記ルータと通信接続するルータ接続部
を有し、
前記フェムト接続部はオスの通信コネクタであり、
前記ルータは、メスの通信コネクタをさらに有し、
前記フェムト接続部と前記ルータ接続部とが電気的かつ物理的に分離可能に接続されることにより、前記ルータにおいて前記フェムト接続部が配置された外面と、前記フェムトセル基地局において前記ルータ接続部が配置された外面とが対向する、
システム。
【請求項２】
前記ルータは、複数の外面を有する筐体をさらに有し、
前記オスの通信コネクタは、前記複数の外面のうちの一の外面に配置されており、
前記メスの通信コネクタは、前記複数の外面のうちの他の外面に配置されている
請求項１に記載のシステム。
【請求項３】
前記ルータは、前記一の外面に配置されているＵＳＢコネクタ
をさらに有する請求項２に記載のシステム。
【請求項４】
前記オスの通信コネクタ及び前記メスの通信コネクタのうち、前記オスの通信コネクタのみを覆うカバー
をさらに有する請求項１から３のいずれか１項に記載のシステム。
【請求項５】
ルータとフェムトセル基地局とを備えるシステムであって、
前記ルータは、
前記ルータの筐体の複数の外面のうちの一の面に、前記フェムトセル基地局と通信接続するオスの通信コネクタであるフェムト接続部と、オスのＵＳＢコネクタと
を有し、
前記フェムトセル基地局は、
前記フェムトセル基地局の筐体の複数の外面のうちの一の面に、前記ルータが有する前記フェムト接続部と通信接続するメスの通信コネクタであるルータ接続部と、前記ルータが有する前記ＵＳＢコネクタと通信接続するメスのＵＳＢコネクタと
を有し、
前記フェムト接続部と前記ルータ接続部及び前記ルータが有する前記ＵＳＢコネクタと前記フェムトセル基地局が有する前記ＵＳＢコネクタが電気的かつ物理的に分離可能に同時に接続されることにより、前記ルータにおいて前記フェムト接続部及び前記ＵＳＢコネクタが配置された外面と、前記フェムトセル基地局において前記ルータ接続部及び前記ＵＳＢコネクタが配置された外面とが対向する、
システム。
【請求項６】
前記ルータは、
電力を受給する電力受給部
をさらに有し、
前記ルータが有するＵＳＢコネクタは、前記電力受給部が受給した前記電力をＵＳＢ給電により前記フェムトセル基地局に供給する、請求項２または５に記載のシステム。
【請求項７】
前記ルータ接続部はメスの通信コネクタである、請求項１から６のいずれか１項に記載のシステム。
【請求項８】
前記フェムト接続部はオスのＬＡＮコネクタであり、前記ルータ接続部はメスのＬＡＮコネクタである、請求項７に記載のシステム。
【請求項９】
ルータであって、
フェムトセル基地局と接続するフェムト接続部と、
メスの通信コネクタと
を備え、
前記フェムト接続部はオスの通信コネクタであり、
前記フェムト接続部と前記フェムトセル基地局が備えるルータ接続部とが電気的かつ物理的に分離可能に接続されることにより、前記ルータにおいて前記フェムト接続部が配置された外面と、前記フェムトセル基地局において前記ルータ接続部が配置された外面とが対向する、
ルータ。
【請求項１０】
ルータであって、
前記ルータの筐体の複数の外面のうちの一の面に、フェムトセル基地局の筐体の複数の外面のうちの一の面に配置されたメスの通信コネクタであるルータ接続部及びメスのＵＳＢコネクタのうち、前記ルータ接続部と通信接続するオスの通信コネクタであるフェムト接続部と、前記フェムトセル基地局が備える前記ＵＳＢコネクタと通信接続するオスのＵＳＢコネクタと
を備え、
前記フェムト接続部と前記ルータ接続部及び前記ルータが備える前記ＵＳＢコネクタと前記フェムトセル基地局が備える前記ＵＳＢコネクタが電気的かつ物理的に分離可能に同時に接続されることにより、前記ルータにおいて前記フェムト接続部及び前記ＵＳＢコネクタが配置された外面と、前記フェムトセル基地局において前記ルータ接続部及び前記ＵＳＢコネクタが配置された外面とが対向する、
ルータ。
【発明の詳細な説明】
【技術分野】
【０００１】
本発明は、システム、ルータ、及びフェムトセル基地局に関する。
【背景技術】
【０００２】
従来、ＬＡＮケーブルによってルータに接続され、ＡＤＳＬ及びＦＴＴＨなどの公衆通信回線を経由して既存の携帯電話ネットワークに接続して、通信を行うフェムトセル基地局が知られている。（例えば、特許文献１）。
特許文献１  特開２０１０−０１０９５６号公報
【発明の概要】
【発明が解決しようとする課題】
【０００３】
フェムトセル基地局のユーザは、ルータの設置スペースとは別に、フェムトセル基地局の設置スペースを確保しなければならなかった。
【課題を解決するための手段】
【０００４】
本発明の第１の態様によれば、ルータとフェムトセル基地局とを備えるシステムであって、ルータは、フェムトセル基地局と通信接続するフェムト接続部を有し、フェムトセル基地局は、ルータと通信接続するルータ接続部を有し、フェムト接続部とルータ接続部とが電気的かつ物理的に接続されることにより、ルータにおいてフェムト接続部が配置された外面と、フェムトセル基地局においてルータ接続部が配置された外面とが対向する、システムが提供される。
【０００５】
上記システムにおいて、ルータは、電力を受給する電力受給部と、電力受給部が受給した電力をフェムトセル基地局に供給する電力供給部とを有してよい。また、上記システムにおいて、電力供給部は、ＵＳＢコネクタであってよく、ＵＳＢ給電によりフェムトセル基地局に電力を供給してよい。また、上記システムにおいて、フェムト接続部は、ルータの外面上に配置された平面状の電極を含んでよく、ルータ接続部は、フェムトセル基地局の外面上に配置された平面状の電極を含んでよく、フェムト接続部の電極とルータ接続部の電極とは、面接触により接続されてよい。また、上記システムにおいて、フェムト接続部はオスの通信コネクタであってよく、ルータ接続部はメスの通信コネクタであってよい。また、上記システムにおいて、フェムト接続部はオスのＬＡＮコネクタであってよく、ルータ接続部はメスのＬＡＮコネクタであってよい。
【０００６】
本発明の第２の態様によれば、フェムトセル基地局と接続するフェムト接続部を備え、フェムト接続部とフェムトセル基地局が備えるルータ接続部とが電気的かつ物理的に接続されることにより、ルータにおいてフェムト接続部が配置された外面と、フェムトセル基地局においてルータ接続部が配置された外面とが対向するルータが提供される。
【０００７】
本発明の第３の態様によれば、ルータと接続するルータ接続部を備え、ルータ接続部とルータが備えるフェムト接続部とが電気的かつ物理的に接続されることにより、ルータにおいてフェムト接続部が配置された外面と、フェムトセル基地局においてルータ接続部が配置された外面とが対向するフェムトセル基地局が提供される。
【０００８】
本発明の第４の態様によれば、オスの通信コネクタと、メスの通信コネクタとを備えるルータが提供される。当該ルータは、複数の外面を有する筐体をさらに備えてよく、オスの通信コネクタは、複数の外面のうちの一の外面に配置されていてよく、メスの通信コネクタは、複数の外面のうちの他の外面に配置されていてよい。また、当該ルータは、一の外面に配置されているＵＳＢコネクタをさらに備えてよい。また、当該ルータは、オスの通信コネクタ及びメスの通信コネクタのうち、オスの通信コネクタのみを覆うカバーをさらに備えてよい。
【０００９】
なお、上記の発明の概要は、本発明の必要な特徴の全てを列挙したものではない。また、これらの特徴群のサブコンビネーションもまた、発明となりうる。
【図面の簡単な説明】
【００１０】
【図１】本実施形態に係るシステム１０の通信環境の一例を概略的に示す。
【図２Ａ】ルータ１００及びフェムトセル基地局２００の接続前の状態の一例を概略的に示す。
【図２Ｂ】ルータ１００及びフェムトセル基地局２００の接続前の状態の一例を概略的に示す。
【図３】ルータ１００の機能構成を概略的に示す。
【図４】フェムトセル基地局２００の機能構成を概略的に示す。
【図５】ルータ１００及びフェムトセル基地局２００の他の例を概略的に示す。
【図６】ルータ１００及びフェムトセル基地局２００の他の例を概略的に示す。
【図７】ルータ１００及びフェムトセル基地局２００の他の例を概略的に示す。
【図８】ルータ１００及びフェムトセル基地局２００の他の例を概略的に示す。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１２】
図１は、本実施形態に係るシステム１０の通信環境の一例を概略的に示す。システム１０は、ルータ１００及びフェムトセル基地局２００を備える。図１は、ルータ１００とフェムトセル基地局２００とが電気的かつ物理的に接続された状態を概略的に示している。
【００１３】
ルータ１００は、インターネット２０に接続される。また、ルータ１００には、情報処理端末３００が接続される。情報処理端末３００は、例えば、ノートＰＣ及びデスクトップＰＣなどである。ルータ１００に接続された情報処理端末３００は、ルータ１００を介してインターネット２０を利用した通信を実行する。
【００１４】
フェムトセル基地局２００は、ルータ１００を介してインターネット２０に接続される。そして、フェムトセル基地局２００は、インターネット２０を介して電話網３０に接続される。電話網３０は、例えば、第３世代携帯電話網である。
【００１５】
フェムトセル基地局２００には、無線通信端末４００が無線接続される。無線通信端末４００は、例えば、スマートフォンなどの携帯電話である。フェムトセル基地局２００に無線接続された無線通信端末４００は、フェムトセル基地局２００を介して電話網３０に接続されることにより、例えば通話処理を実行する。
【００１６】
図２Ａ及び図２Ｂは、ルータ１００及びフェムトセル基地局２００の接続前の状態の一例を概略的に示す。図２Ａは、ルータ１００にカバー１５０が取り付けられており、フェムトセル基地局２００にカバー２５０が取り付けられている状態を示す。また、図２Ｂは、ルータ１００からカバー１５０が取り外されており、フェムトセル基地局２００からカバー２５０が取り外されている状態を示す。
【００１７】
ルータ１００は、筐体１０１、ＩＰポート１０２、ＬＡＮポート１０４、電源プラグ１０６、ＬＡＮプラグ１０８、及びＵＳＢプラグ１１０を有する。筐体１０１は、複数の外面を有する。ここでは、複数の外面のうちの一の面に、ＬＡＮプラグ１０８及びＵＳＢプラグ１１０が配置され、他の面にＩＰポート１０２及びＬＡＮポート１０４が配置され、さらに他の面に電源プラグ１０６が配置されている例を示す。
【００１８】
ＩＰポート１０２は、インターネットに接続するための通信ポートである。ＩＰポート１０２は、例えば、ＬＡＮケーブルを接続可能なメスの通信コネクタである。また、ＩＰポート１０２は、電話回線を接続可能なメスの通信コネクタであってもよく、ルータ１００は、通信事業者が提供する宅内終端装置（ＣＰＥ）を経由してインターネットに接続されてよい。
【００１９】
ＬＡＮポート１０４は、情報処理端末３００に接続するための通信ポートである。ＬＡＮポート１０４は、例えば、ＬＡＮケーブルを接続可能なメスの通信コネクタである。
【００２０】
電源プラグ１０６は、外部の電源から電力を受給する。電源プラグ１０６は、電力受給部の一例であってよい。
【００２１】
ＬＡＮプラグ１０８は、フェムトセル基地局２００と通信接続するためのオスのＬＡＮコネクタである。ＬＡＮプラグ１０８は、筐体１０１の複数の外面のうちの一の外面から突き出ている。ＬＡＮプラグ１０８は、フェムト接続部の一例であってよい。
【００２２】
ＵＳＢプラグ１１０は、オスのＵＳＢコネクタである。ＵＳＢプラグ１１０は、筐体１０１の複数の外面のうちの一の外面から突き出ている。ＵＳＢプラグ１１０は、電力供給部の一例であってよい。
【００２３】
フェムトセル基地局２００は、筐体２０１、ＬＡＮポート２０８、及びＵＳＢポート２１０を有する。筐体２０１は、複数の外面を有する。ここでは、複数の外面のうちの一の面に、ＬＡＮポート２０８及びＵＳＢポート２１０が配置されている例を示す。
【００２４】
ＬＡＮポート２０８は、ルータ１００と通信接続するためのメスのＬＡＮコネクタである。ＬＡＮポート２０８は、ルータ接続部の一例であってよい。ＵＳＢポート２１０は、メスのＵＳＢコネクタである。ＵＳＢポート２１０は、電力受給部の一例であってよい。
【００２５】
カバー１５０は、ＩＰポート１０２、ＬＡＮポート１０４、ＬＡＮプラグ１０８、及びＵＳＢプラグ１１０のうち、ＬＡＮプラグ１０８及びＵＳＢプラグ１１０のみを覆う。これにより、ルータ１００にカバー１５０を取り付けている場合、ＩＰポート１０２及びＬＡＮポート１０４が開放されるので、情報処理端末３００に対してＬＡＮを使用した通信が可能となる。
【００２６】
ＬＡＮプラグ１０８及びＵＳＢプラグ１１０と、ＬＡＮポート２０８及びＵＳＢポート２１０とが、それぞれ電気的かつ物理的に接続されることにより、筐体１０１におけるＬＡＮプラグ１０８が配置された外面と、筐体２０１におけるＬＡＮポート２０８が配置された外面とが対向する。そして、ルータ１００とフェムトセル基地局２００とが一体的な形状を構成する。
【００２７】
図２Ｂに示す例では、接続したルータ１００及びフェムトセル基地局２００の全体の形状が、直方体の形状を構成する。フェムトセル基地局２００がカバー１５０と同様の形状を備えることにより、接続したルータ１００及びフェムトセル基地局２００の全体の形状が、カバー１５０が取り付けられたルータ１００と同様の形状を構成してよい。また、接続したルータ１００及びフェムトセル基地局２００の全体の形状が、公知のルータの形状を構成してもよい。
【００２８】
これにより、ルータ１００とフェムトセル基地局２００とをＬＡＮケーブルで接続する場合に比べて、ルータ１００及びフェムトセル基地局２００が設置場所において占めるスペースを削減でき、省スペース化を実現することができる。また、ルータ１００とフェムトセル基地局２００とをケーブルで接続する場合に比べて、見た目の煩雑さを軽減できる。また、ＬＡＮケーブルに物体が引っ掛かる等の不測の事態によって接続障害が発生してしまうことを防止できる。
【００２９】
なお、ルータ１００の筐体１０１及びフェムトセル基地局２００の筐体２０１は、それぞれが、互いを固定する固定部を有してもよい。例えば、ルータ１００とフェムトセル基地局２００とを接続させた場合に双方を固定するための爪部及び爪受け部を、それぞれが有してよい。固定部は、互いを固定できる形態であれば、他の形態であってもよい。
【００３０】
図３は、ルータ１００の機能構成を概略的に示す。ルータ１００は、ＩＰ接続部１１２、ＩＰ通信部１１４、ＬＡＮ接続部１１６、ＬＡＮ通信部１１８、フェムト接続部１２０、フェムト通信部１２２、電力受給部１２４、電力供給部１２６、及び制御部１２８を備える。
【００３１】
ＩＰ接続部１１２は、インターネットに接続するための部材である。例えば、ＩＰ接続部１１２は、メスのＬＡＮポートである。ＩＰ接続部１１２の一例として、ＩＰポート１０２が挙げられる。ＩＰ通信部１１４は、ＩＰ接続部１１２を介してインターネット２０を利用した通信を実行する。
【００３２】
ＬＡＮ接続部１１６は、ＬＡＮを使用した通信を可能にするための接続部材である。例えば、ＬＡＮ接続部１１６は、メスのＬＡＮポートである。ＬＡＮ接続部１１６が、例えば通信ハブを介して複数の情報処理端末３００と接続することによって、ＬＡＮを構成できる。ＬＡＮ接続部１１６の一例として、ＬＡＮポート１０４が挙げられる。なお、ルータ１００は複数のＬＡＮ接続部１１６を備えても良い。ＬＡＮ通信部１１８は、ＬＡＮ接続部１１６を介して、ＬＡＮ接続部１１６に接続された情報処理端末３００と通信する。
【００３３】
フェムト接続部１２０は、フェムトセル基地局２００と通信接続するための部材である。例えば、フェムト接続部１２０は、オスの通信コネクタである。フェムト接続部１２０は、オスのＬＡＮコネクタであってよい。フェムト接続部１２０は、ルータ１００の筐体１０１の複数の外面のうちの一の外面に配置される。
【００３４】
フェムト接続部１２０は、筐体１０１の一の外面から直接突き出していてよい。メスの通信コネクタを備えるフェムトセル基地局が、フェムト接続部１２０に電気的かつ物理的に接続されることにより、ルータ１００とフェムトセル基地局とが密着または近接する。
【００３５】
また、メスの通信コネクタを備えるフェムトセル基地局が、フェムト接続部１２０に電気的かつ物理的に接続されることにより、互いを固定することができる。フェムト接続部１２０の一例として、ＬＡＮプラグ１０８が挙げられる。フェムト通信部１２２は、フェムト接続部１２０を介して、フェムトセル基地局２００と通信する。
【００３６】
電力受給部１２４は、電力を受給する部材である。電力受給部１２４は、例えば、外部の電源から電力を受給する。電力受給部１２４の一例として、電源プラグ１０６が挙げられる。また、電力受給部１２４は、ＵＳＢコネクタであってもよく、ＵＳＢ給電を受けることによって電力を受給してもよい。また、ルータ１００がバッテリーを搭載している場合、電力受給部１２４は、バッテリーから電力を受給してもよい。
【００３７】
電力供給部１２６は、電力受給部１２４が受給した電力をフェムトセル基地局２００に供給する。電力供給部１２６は、例えば、オスのＵＳＢコネクタ又はメスのＵＳＢコネクタであり、ＵＳＢ給電によりフェムトセル基地局２００に電力を供給する。電力供給部１２６の一例として、ＵＳＢプラグ１１０が挙げられる。電力供給部１２６は、電源プラグであってもよい。また、電力供給部１２６は、無線給電により、フェムトセル基地局２００に電力を供給してもよい。
【００３８】
制御部１２８は、ＩＰ通信部１１４、ＬＡＮ通信部１１８、フェムト通信部１２２、電力受給部１２４、及び電力供給部１２６を制御する。
【００３９】
図４は、フェムトセル基地局２００の機能構成を概略的に示す。フェムトセル基地局２００は、アンテナ部２１２、無線通信部２１４、ルータ接続部２２０、ルータ通信部２２２、電力受給部２２６、及び制御部２２８を備える。
【００４０】
アンテナ部２１２は、無線通信端末４００との間で電波を送受信する。無線通信部２１４は、アンテナ部２１２を介して、無線通信端末４００と通信する。
【００４１】
ルータ接続部２２０は、ルータ１００と通信接続するための部材である。例えば、ルータ接続部２２０は、メスの通信コネクタである。ルータ接続部２２０は、メスのＬＡＮコネクタであってよい。ルータ接続部２２０は、例えば、フェムトセル基地局２００の筐体２０１の複数の外面のうちの一の外面に配置される。ルータ接続部２２０の一例として、ＬＡＮポート２０８が挙げられる。ルータ通信部２２２は、ルータ接続部２２０を介して、ルータ１００と通信する。
【００４２】
ルータ接続部２２０が、フェムト接続部１２０と電気的かつ物理的に接続されることにより、ルータ１００においてフェムト接続部１２０が配置された外面と、フェムトセル基地局２００においてルータ接続部が配置された外面とが対向する。これにより、ルータ１００とフェムトセル基地局とを密着又は近接させることができる。
【００４３】
電力受給部２２６は、電力を受給する。電力受給部２２６は、電力供給部１２６から電力を受給してよい。例えば、電力供給部１２６がオスのＵＳＢコネクタであり、電力受給部２２６がメスのＵＳＢコネクタである場合、ＵＳＢ給電により、電力供給部１２６から電力を受給する。電力受給部２２６の一例として、ＵＳＢポート２１０が挙げられる。
【００４４】
また、電力受給部２２６は、電源プラグであってもよく、外部の電源コンセントから電力を受給してよい。例えば、電力供給部１２６が電源プラグである場合、電力受給部２２６は、電力供給部１２６から電力を受給してよい。また、電力受給部２２６は、無線給電により、電力供給部１２６から電力を受給してもよい。
【００４５】
図５は、ルータ１００及びフェムトセル基地局２００の他の例を概略的に示す。ここでは、フェムト接続部１２０としてフェムト接続電極１３０を有し、電力供給部１２６として電力供給電極１３６を有するルータ１００と、ルータ接続部２２０としてルータ接続電極２３０を有し、電力受給部２２６として電力受給電極２３６を有するフェムトセル基地局２００とを例に挙げて説明する。
【００４６】
フェムト接続電極１３０は、電極部１３２及び絶縁部１３４を含む。電極部１３２は、筐体１０１の外面上に配置された、複数の平面状の電極であってよい。絶縁部１３４は、複数の平面状の電極同士を絶縁する。ルータ接続電極２３０はフェムト接続電極１３０と同様の構成を有しており、電極部２３２及び絶縁部２３４を含む。フェムト接続電極１３０とルータ接続電極２３０とは、面接触により接続される。
【００４７】
フェムト接続電極１３０とルータ接続電極２３０とが面接触により接続されることにより、複数の通信経路が形成される。図５に示す例では、８つの通信経路が形成され、ＬＡＮの通信規格による通信を実現できる。電極部１３２が備える平面状の電極の数は、採用する通信規格に適合する任意の数であってよい。
【００４８】
電力供給電極１３６は、電極部１３８及び絶縁部１４０を含む。電極部１３８は、ルータ１００の筐体１０１の外面上に配置された、複数の平面状の電極であってよい。絶縁部１４０は、複数の平面状の電極同士を絶縁する。電力受給電極２３６は電力供給電極１３６と同様の構成を有しており、電極部２３８及び絶縁部２４０を含む。電力供給電極１３６とルータ接続電極２３０とは、面接触により接続される。
【００４９】
電力供給電極１３６とルータ接続電極２３０とが面接触により接続されることにより、複数の通信経路が形成されてよい。図５に示す例では、４つの通信経路が形成され、ＵＳＢの通信規格による通信を実現でき、電力供給電極１３６は、ＵＳＢ給電により電力受給電極２３６に対して電力を供給できる。電極部１３８が備える平面状の電極の数は、電力の供給及び受給が行えれば任意の数であってよく、１つであってもよい。
【００５０】
図６は、ルータ１００及びフェムトセル基地局２００の他の例を概略的に示す。ここでは、ルータ１００が電力供給部１２６を有さず、フェムトセル基地局２００が電力受給部２２６として、電源プラグ２４２を有する場合を例に挙げて説明する。
【００５１】
図６に示すルータ１００及びフェムトセル基地局２００は、フェムト接続部１２０の一例であるＬＡＮプラグ１０８とルータ接続部２２０の一例であるＬＡＮポート２０８とにより接続される。フェムトセル基地局２００は、電源プラグ２４２により、ルータ１００からではなく外部の電源から電力を受給できる。
【００５２】
これにより、フェムトセル基地局２００をルータ１００以外のルータに接続しやすくなり、フェムトセル基地局２００の互換性を高めることができる。なお、フェムトセル基地局２００は、電源プラグ２４２の代わりに、メスのＵＳＢコネクタを有してよく、ＵＳＢ給電により電力を受給してもよい。
【００５３】
図７は、ルータ１００及びフェムトセル基地局２００の他の例を概略的に示す。図７において、ルータ１００の筐体１０１の下側の外面が設置面１４２であり、上側が上部面１４４である。ここでは、ルータ１００が、フェムト接続部１２０の一例であるＬＡＮプラグ１０８と、電力供給部１２６の一例であるＵＳＢプラグ１１０とを、筐体１０１の上部面１４４側に備える場合を例に挙げて説明する。
【００５４】
ルータ１００が、ＬＡＮプラグ１０８とＵＳＢプラグ１１０とを、筐体１０１の上部面１４４側に備えることによって、フェムトセル基地局２００を接続した場合に、フェムトセル基地局２００を上部面１４４側に配置することができる。これにより、フェムトセル基地局２００が備えるアンテナ部２１２の位置を高くすることができ、電波の到達範囲を広めることができる。
【００５５】
図８は、ルータ１００及びフェムトセル基地局２００の他の例を概略的に示す。ここでは、ルータ１００の筐体１０１の一部に形成された凹部１４６に、フェムトセル基地局２００をはめ込み可能に形成された、ルータ１００及びフェムトセル基地局２００を例に挙げて説明する。
【００５６】
ルータ１００は、凹部１４６の一の面に、フェムト接続部１２０の一例であるＬＡＮプラグ１０８及び電力供給部１２６の一例であるＵＳＢプラグ１１０を有する。そして、ＬＡＮプラグ１０８及びＵＳＢプラグ１１０に、ＬＡＮポート２０８及びＵＳＢポート２１０が電気的かつ物理的に接続されることにより、フェムトセル基地局２００が凹部１４６にはめ込まれる。ルータ１００が、フェムトセル基地局２００をはめ込む凹部１４６を有することにより、フェムトセル基地局２００をはめ込む前後のルータ１００の姿勢を安定させることができる。
【００５７】
本実施形態では、ルータ１００及びフェムトセル基地局２００の形状について、複数の実施例を挙げて説明したが、ルータ１００及びフェムトセル基地局２００の形状は、上述した実施例の形状に限られない。フェムト接続部１２０とルータ接続部２２０とが電気的かつ物理的に接続されることにより、ルータ１００においてフェムト接続部１２０が配置された外面と、フェムトセル基地局２００においてルータ接続部２２０が配置された外面とが対向する形状であれば、他の形状であってもよい。
【００５８】
例えば、ルータ１００が既存のルータの形状を有し、フェムトセル基地局２００が既存のルータの形状を有していてもよい。この場合、ルータ１００の一の外面にフェムト接続部１２０が配置され、フェムトセル基地局２００の一の外面にルータ接続部２２０が配置され、ルータ１００とフェムトセル基地局２００とを隣接させることによって、フェムト接続部１２０とルータ接続部２２０とが接続する。これにより、既存のルータ１００及びフェムトセル基地局２００の分の設置スペースが必要にはなるが、接続ケーブルを必要としない分、省スペース化を実現することができる。
【００５９】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００６０】
特許請求の範囲、明細書、及び図面中において示した装置、システム、プログラム、及び方法における動作、手順、ステップ、及び段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」などを用いて説明したとしても、この順で実施することが必須であることを意味するものではない。
【符号の説明】
【００６１】
１０  システム、２０  インターネット、３０  電話網、１００  ルータ、１０１  筐体、１０２  ＩＰポート、１０４  ＬＡＮポート、１０６  電源プラグ、１０８  ＬＡＮプラグ、１１０  ＵＳＢプラグ、１１２  ＩＰ接続部、１１４  ＩＰ通信部、１１６  ＬＡＮ接続部、１１８  ＬＡＮ通信部、１２０  フェムト接続部、１２２  フェムト通信部、１２４  電力受給部、１２６  電力供給部、１２８  制御部、１３０  フェムト接続電極、１３２  電極部、１３４  絶縁部、１３６  電力供給電極、１３８  電極部、１４０  絶縁部、１４２  設置面、１４４  上部面、１４６  凹部、１５０  カバー、２００  フェムトセル基地局、２０１  筐体、２０８  ＬＡＮポート、２１０  ＵＳＢポート、２１２  アンテナ部、２１４  無線通信部、２２０  ルータ接続部、２２２  ルータ通信部、２２６  電力受給部、２２８  制御部、２３０  ルータ接続電極、２３２  電極部、２３４  絶縁部、２３６  電力受給電極、２３８  電極部、２４０  絶縁部、２４２  電源プラグ、２５０  カバー、３００  情報処理端末、４００  無線通信端末
【図１】
0005593371.tif 000002
【図２Ａ】
0005593371.tif 000003
【図２Ｂ】
0005593371.tif 000004
【図３】
0005593371.tif 000005
【図４】
0005593371.tif 000006
【図５】
0005593371.tif 000007
【図６】
0005593371.tif 000008
【図７】
0005593371.tif 000009
【図８】
0005593371.tif 000010